(57)【要約】【課題】焼却処分し得る段ボールケースを使用しピロー包装で配達するものではあるが、帰り荷として別途袋を容易する必要がなく、しかも付属の袋に廃油を都合良く詰めることができ、それが１８０°Ｃ程度の高温であってもそれに耐えることのできる食用油の配達兼廃油の回収ケースを提供する。【解決手段】食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部間でＬ字形に曲がるように、立ち上がる基部において一面壁と接着し取り付け、先端部をその上にピロー包装油が載るよう箱底面上に敷いてあることを特徴とする。【選択図】    図１
2012144292.tif 000002
【特許請求の範囲】
【請求項１】
食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部間でＬ字形に曲がるように、立ち上がる基部において一面壁と接着し取り付け、先端部をその上にピロー包装油が載るよう箱底面上に敷いてあることを特徴とする食用油の配達兼その廃油の回収ケース。
【請求項２】
食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部間で反転して基部に対して先端部が折り返され、基部を一面壁と接着して取り付ける一方、反転した先端部をシール部で基部又は面壁に接着し、折り返しで先端部の端シール部に高さを付与したことを特徴とする食用油の配達兼その廃油の回収ケース。
【請求項３】
食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部が両横となるように、内袋を横にして一面壁に沿わせ、基部を一面壁に対して接着して取り付け、先端部において両角部を三角巾状に折り曲げて、両三角巾部の両シール部を上に配列することにより、その両シール部に高さを付与したことを特徴とする食用油の配達兼その廃油の回収ケース。
【請求項４】
食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、それぞれ樹脂フィルムのチューブの両端をシールしてなる内側短袋と外側長袋との二重袋であって、上端に両袋の共通シール部を有し，上端部においてスパウトが廃油を内側短袋に注入可能に接続され、外側長袋の長い部分が内側短袋の下端シール部の位置で裏側へ折り返され、さらに面壁ではその折返し部を面壁に沿って立ち上げるとともに、立上り部分を面壁に接着することにより、その外側長袋のシール部が面壁に保持してあることを特徴とする食用油の配達兼その廃油の回収ケース。
【発明の詳細な説明】
【技術分野】
【０００１】
この発明は、天ぷらを揚げる等の業務用として或いは家庭用として食用油を配達するとともに、その廃油を都合良く回収できるようにした食用油の配達兼その廃油の回収ケースに関する。
【背景技術】
【０００２】
食用油業者は、それを購入する食品の加工業者や飲食店等の顧客に対して、従来、一般的に一斗缶等の金属製の容器で配達していた。この場合であると、顧客に空いた同じ容器に廃油を詰めて貰い、それで廃油を引き取っていたが、廃油で汚れた金属製容器の処分が困難であった。そこで、最近では、金属製の容器の代わりにリサイクル可能な段ボールケースを使用し、ポリ袋に小分けしピロー包装された食用油をそれで配達し、顧客では帰り荷としての廃油を別途用意された容器に入れて引き取らせていた。
【発明の概要】
【発明が解決しようとする課題】
【０００３】
しかし、上記のように段ボールケースを使用すると、廃油を引き取った後の段ボールケースの始末が容易であるが、帰り荷では単独の別途容器を使用するために廃油の詰め込みが容易ではなかった。しかも、使い終わった廃油は、作業手順の要領から天ぷらを揚げた直後にポリ袋に投入されることがあり、そのとき廃油が１８０°Ｃ程度にも達していると、特に袋のシール部が高熱で破損しやすく、この危険を避けて温度が下がるまで放置した後に詰め込むとすると、天ぷらを揚げる手順の段取りが悪くなる等の問題があった。
【０００４】
この発明は、上記のような実情に鑑みて、焼却処分し得る段ボールケースを使用し、ピロー包装で配達するものではあるが、帰り荷として別途容器を用意する必要がなく、しかも付属の袋に廃油を都合良く詰めることができ、それが１８０°Ｃ程度の高温であってもそれに耐えることのできる食用油の配達兼廃油の回収ケースを提供することを課題とした。
【課題を解決するための手段】
【０００５】
上記の課題を解決するために、第１発明は、食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部間でＬ字形に曲がるように、立ち上がる基部において一面壁と接し取り付け、先端部をその上にピロー包装油が載るよう箱底面上に敷いてあることを特徴とする食用油の配達兼その廃油の回収ケースを提供する（請求項１）。
【０００６】
第２発明は、食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部間で反転して基部に対して先端部が折り返され、基部を一面壁と接着して取り付ける一方、反転した先端部をシール部で基部又は面壁に接着し、折り返しで先端部の端シール部に高さを付与したことを特徴とする食用油の配達兼その廃油の回収ケースを提供する（請求項２）。
【０００７】
第３発明は、食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、樹脂フィルムのチューブの両端をシールして密閉され、その両端シール部が両横となるように、内袋を横にして一面壁に沿わせ、基部を一面壁に対して接着して取り付け、先端部において両角部を三角巾状に折り曲げて、両三角巾部の両シール部を上に配列することにより、その両シール部に高さを付与したことを特徴とする食用油の配達兼その廃油の回収ケースを提供する（請求項３）。
【０００８】
第４発明は、食用油を小分けしたピロー包装油を輸送する食用油の配達兼廃油の回収ケースにおいて、上部に廃油を注入注出するキャップ付きスパウトが設けられるケース本体としての段ボール製の外箱と、そのスパウトから帰り荷の廃油が詰め込まれる樹脂製の内袋とからなり、外箱は、一の面壁に連設されるフラップにスパウトが取り付けられ、内袋は、それぞれ樹脂フィルムのチューブの両端をシールしてなる内側短袋と外側長袋との二重袋であって、上端に両袋の共通シール部を有し，上端部においてスパウトが廃油を内側短袋に注入可能に接続され、外側長袋の長い部分が内側短袋の下端シール部の位置で裏側へ折り返され、さらに面壁ではその折返し部を面壁に沿って立ち上げるとともに、立上り部分を面壁に接着することにより、その外側長袋のシール部が面壁に保持してあることを特徴とする食用油の配達兼その廃油の回収ケースを提供するものである（請求項４）。
【０００９】
食用油の配達兼その廃油の回収ケースを上記のように構成したから、これを使用するときには、外箱にピロー包装油を詰め包装してユーザーに届けると、ユーザーでは蓋を開いてピロー包装油を取り出して使用でき、しかも外箱を包装形態に組み立てておけば、使用後の廃油はスパウトから内袋に注入し回収されやすく、廃油を包装状態にできる。
【発明の効果】
【００１０】
以上説明したように、この発明の食用油の配達兼廃油の回収ケースによれば、焼却処分し得る段ボールケースを使用しピロー包装で配達するものであるが、内袋の付属でピロー包装油の安全な輸送形態が得られることはもちろん、帰り荷としての廃油をその付属の内袋に注入して都合良く詰めることができ、それが１８０°Ｃ程度の高温で注入されたとしても、注入経路でその間の温度低下が望め、また、廃油が高所のシール部に達しないことから、高温によりシール部が破損を被ることは決してなく、極めて安全に廃油の充填および輸送をなすことができるという優れた効果がある。
【図面の簡単な説明】
【００１１】
【図１】第１発明の食用油の配達兼その廃油の回収ケースを開封型で示す一部切欠した斜視図である。
【図２】同食用油の配達兼廃油の回収ケースの使用状態を包装状態（ピロー包装油又は廃油の包装状態）で示す外観斜視図である。
【図３】同回収ケースに使用する内袋の一部切欠した裏面図である。
【図４】図１のＡ−Ａ線矢視の断面図である。
【図５】廃油の包装状態を示す図２のＢ−Ｂ線矢視の断面図である。
【図６】第２発明の食用油の配達兼その廃油の回収ケースを示す図１に対応する斜視図である。
【図７】第３発明の食用油の配達兼その廃油の回収ケースを示す図１に対応する斜視図である。
【図８】同回収ケースにおける内袋の組み込み形態を説明する裏面図である。
【図９】第４発明の食用油の配達兼その廃油の回収ケースを示す図１に対応し且つ一部切欠した斜視図である。
【図１０】図９のＣ−Ｃ線矢視の断面図である。
【図１１】同回収ケースを廃油の包装形態において示す斜視図である。
【図１２】同回収ケースの展開図である。
【図１３】同実施例における内袋が内側短袋と外側長袋とで組み合わされてなることを裏側から示す説明図である。
【発明を実施するための形態】
【００１２】
この発明における食用油の配達兼その廃油の回収ケースＰａは、段ボール製の外箱１とそれに常時内装される付属の内袋２とかり、外箱１は、リサイクルできる紙段ボール又は樹脂段ボール製であって、段ボール構造は特に限定するものではなく、箱型については原則的にはＡ式である。
【００１３】
内袋２は、樹脂のチューブフィルムの両端にシール部３３，３４，３６、３７、３８を形成した密閉形の平袋が原型であって、その一端部の裏面に注出注入口としての樹脂製のキャップ２０付きスパウト６が取り付けられるが、シール部の配置により縦使用方式（請求項１、２、４）と、横使用方式（請求項３）とがある。なお、内袋２の樹脂フィルムの材質についても様々である。
【００１４】
また、安全性確保のため、内容物を充填する内側短袋１０と、それを被覆する外側長袋１１とからなる二重袋として構成されることもあり（請求項４）、この場合は、スパウト６から内側短袋１０に液体が充填されるが、廃油などの液体が達しないよう外側長袋１１のシール部３８が一定の高さＨに保持されることが望ましい。
【００１５】
フィルムの構成については，内袋９の内側短袋１０は耐熱性のあるフィルムであれば特に限定しないが，内側短袋１０がポリエチレン（外層）とナイロン（内層）のラミネート、外側長袋１１がナイロン（外層）とポリエチレン（内層）とのラミネートフィルムであると特に好ましい。
【００１６】
また、袋の形態については平袋又はガゼット袋等、特に限定しないが、ナイロンのガゼットシールが難しいことから平袋が特に好ましい。
【００１７】
折畳み形式については、Ａ式として菱形方向の変形が可能であるが、左右一対の中折れ線５０，５０（図１２参照）による偏平方向の変形も可能となる。
【実施例１】
【００１８】
外箱１は、Ａ式として、胴部について左右両側壁１９，１９と前後両面壁２１，２１とが交互に配列され、両側壁１９，１９の上下両端に内フラップ２３，２３が、両面壁２１，２１の上下両端に外フラップ２５，２５がそれぞれ連設され、一端の糊代で矩形に組まれる。そのうち前側の外フラップ２５に口孔を設け、それにスパウト６が嵌着される。
【００１９】
内袋２は、基本的にはチューブフィルムの両端に熱溶着でシール部３３，３４を設けて偏平な平袋の密閉形式であって、一端部の裏面においてスパウト６が取り付けられ、それが外フラップ２５に嵌着される。そこで、外フラップ２５にスパウトと共に内袋２を取り付ける妨げにならないように左右内フラップ２３，２３には角切欠３１，３１が設けられる。
【００２０】
図１は、外箱１に内袋２を組み合わせた形態を示したもので、内袋２を平袋として図示の如くＬ字形に折り曲げながら外箱１に納め、上半部２ａは前面壁２１にスパウト６を頂点とするほゞ二等辺三角形状の範囲内に接着し、下半部２ｂは、未接着において底面に伏せて敷かれる。そこで、ピロー包装油５は、下半部２ｂの上に置いて箱詰めされる。
【００２１】
図２は、ピロー包装油５の包装状態（図４参照）の外観を示したもので（廃油の包装状態（図５参照）の外観も同じ）、内フラップ２３，２３の上に外フラップ２５，２５を重ねて蓋が閉じられるが、スパウト６及び内袋２の取付部が内フラップ２３，２３の切欠３１，３１間の中に納まっている。
【００２２】
食用油の配達があったときのユーザーにおける使用手順については、蓋を開けピロー包装油５を取り出してそれを使用し、蓋を閉じた状態にして廃油をスパウト６から内袋２に注入し、適当な量になったならスパウト６をキャップ２０で締めて業者に引き取らせる。
【実施例２】
【００２３】
図６は、第２発明の実施例を示したもので、その食用油の配達兼その廃油の回収ケースＰｂは、前記実施例とほゞ同じであるが、内袋３は、基端部３ａを面壁２１に沿わせて立ち上げることで取り付けられるが、先端部３ｂは、折り曲げることによりシール部３４を上に位置させ、その位置高さＨで基端部３ａにシール部３３の位置で接着させてある。
【００２４】
内袋３のこの取り付け方であると、基端部３ａ上端のシール部３３は、外フラップ２５に近接し最高位置にあるが、先端のシール部３４もそれに近い最高位置にあるため、廃油を注入したときには、それが反転した折り返しの高さＨにあるシール部３３，３４に到達しないため、廃油の高熱でシール部３３，３４が破損することは決してない。
【実施例３】
【００２５】
図７および図８は、第３発明の実施例を示したもので、その食用油の配達兼その廃油の回収ケースＰｃは、内袋４をシール部３５，３５が縦となるように使用したもので、基部４ａが面壁２５に接着されるが、左右両角を三角巾状に折り曲げることにより、先端部における三角巾部３２のシール部３５ａ，３５ａは廃油が到達しない高さＨを得た位置で外箱１に接着してある。
【００２６】
実施例１の場合、一端のシール部３４は、下に位置しているが、廃油がそれに到達する経路が長いために、その間における冷却が望めるので、シール部３４の熱損が防げる。また、実施例２，３の場合、内袋３，４の容量が少なくなる傾向にあるが、食用油は使用により減量された廃油となるので、容量については問題はない。
【実施例４】
【００２７】
図１０ないし図１４は、第４発明の実施例を示したもので，その食用油の配達兼その廃油の回収ケースＰｄは、以上の各実施例の場合と同様に、外箱１に内袋９を内装し、内袋９に接続されたスパウト６が外箱１の上端部に取り付けられその外面に露出している。
【００２８】
また、外箱１は、Ａ式として左右両側壁１９，１９と前後両面壁２１，２１の配列において、両側壁１９，１９の上下両端に内フラップ２３，２３が、両面壁２１，２１の上下両端に外フラップ２５，２５がそれぞれ連設され、そのうち前側の一面壁２１の上端の外フラップ２５に口孔を設け、内袋９付きのスパウト６がその口孔に嵌着される。しかし、次の通り異なる点がある。
【００２９】
内袋９は、スパウト６から廃油が充填される内側短袋１０と、それを内包する外側長袋１１とからなるもので、両袋１０，１１には長短があるが、外フラップ２５の裏側の位置に相当する上端で、揃って溶着された共通シール部３６を有する。そして、その共通シール部３６の近くでスパウト６が接続される。これについては、それぞれに接続孔が設けられ、その接続孔周縁部が共にスパウト６の内鍔と外フラップ２５に孔周縁に接着される。したがって、両袋１０，１１の長短は下端において生じている。
【００３０】
内側短袋１０は、上端の共通シール部３６から外箱１の内面に沿って下り底部に伏するように延びて、下端シール部３７が底部上に位置している。これに対して長い寸法の外側長袋１１は、その下端シール部３７の位置で、内側に折り返され、その折返し部４０が底部に沿って面壁２１に至り、その面壁２１に沿って立ち上がりながら、その立上り部分４０ａが面壁２１に部分接着され（図１２）、その結果、外側長袋１１の上端シール部３８がフラップの裏面の位置、つまり面壁２１の上端の位置に高さＨが付与され、部分接着３９によりその高さＨが保持されている。
【００３１】
内側短袋１０の下端部の拡がりは、外箱１の底面を這うように延びた拡がりとすることができ、例えば、外箱１の底面幅の１／２位とすることもでき、或いは底面幅一杯まで延びた内側短袋１０とすることもできる。
【００３２】
上記において、下端部幅が外箱底面の１／２程度であると、外箱を折り畳んだ場合内、袋が折り畳まれた外箱内に収納されるため、内袋の傷付きがほとんど無い。しかし、液体などの内容物の収納量が少なく、特に片方に片寄り、不安定となる恐れがある。
【００３３】
一方、外箱底面幅一杯の短袋１０だと、外箱を折り畳んだ場合、短袋１０が外箱よりはみ出した部分が生じ、そのはみ出し部分の傷付きや、或いは折り畳みの手数が生じる。しかし、この場合は、内容物の容量が多くなるばかりか、内容物が均等に収納されるため、持ち運び等の場合でも安定性がある。
【００３４】
（実施例４に係る回収ケースＰｄの特徴）
１．内側短袋１０および外側長袋１１との両方の袋を折り曲げるよりも（完全折り曲げ）、上記構成にすることで、内側短袋１０が短くて良いため、その分コストの削減が可能である。
２．完全折り曲げより、フィルムが少ない分、内容物により内側短袋１０が広がりやすい（図１１参照）。
３．内側短袋１０および外側長袋１１の両方が短いものと比較すると、外側長袋１１が折り曲がり立ち上がるため、内側短袋１０のシール漏れが仮にあったとしても、外側長袋１１の上端シール部３８が上位の高さＨにあるため、普通に使用する限りシールによる漏れは決して発生しなく安全である。
【符号の説明】
【００３５】
Ｐａ，Ｐｂ，Ｐｃ，Ｐｄ  食用油の配達兼その廃油の回収ケース
Ｈ  高さ
１  外箱
２，３，４  内袋
２ａ，３ａ，４ａ  基部
２ｂ，３ｂ，４ｂ  先端部
５  ピロー包装油
６  スパウト
９  内袋
１０  内側短袋
１１  外側長袋
２０  キャップ
２３  内フラップ
２５  外フラップ
３１  角切欠
３２  三角巾部
３３，３４，３５  シール部
３５ａ  三角巾部の両シール部
３６  共通シール部
３７  下端シール部
３８  上端シール部
４０  折返し部
４０ａ  立上り部分
【図１】
2012144292.tif 000003
【図２】
2012144292.tif 000004
【図３】
2012144292.tif 000005
【図４】
2012144292.tif 000006
【図５】
2012144292.tif 000007
【図６】
2012144292.tif 000008
【図７】
2012144292.tif 000009
【図８】
2012144292.tif 000010
【図９】
2012144292.tif 000011
【図１０】
2012144292.tif 000012
【図１１】
2012144292.tif 000013
【図１２】
2012144292.tif 000014
【図１３】
2012144292.tif 000015